(57)【特許請求の範囲】
【請求項１】
スパイラルコード（３）でケース本体（１）に接続されている送受器（２）を床面上に落下防止するために、可撓性線状材（４）を前記スパイラルコードに沿って前記スパイラルコードの両端部（３０、３０）に固定して前記送受器が落下したとき前記スパイラルコードが伸張するのを阻止するにあたり、前記可撓性線状材の各端部を保持するための保持金具（６、６）を備え、前記保持金具は、前記送受器のスパイラルコード嵌合部（２０）と前記ケース本体のスパイラルコード嵌合部（１０）にそれぞれ嵌着され、
前記送受器のスパイラルコード嵌合部および前記ケース本体のスパイラルコード嵌合部は、前記スパイラルコードの両端部において前記送受器および前記ケース本体のリブ（２１、１１）に嵌合するブッシング（５）を有し、
前記保持金具は、前記ブッシングと重なるように前記送受器および前記ケース本体のリブに嵌合する凹部（６ｃ）を有し、
前記ブッシングは、前記保持金具と重なるように前記送受器および前記ケース本体のリブに嵌合する凹部を有することを特徴とする送受器落下防止構造。
【発明の詳細な説明】
【０００１】
【発明の属する技術分野】
本発明は、インターホンや電話機の送受器落下防止構造に係り、特にチェーンを保持するための保持部品を備えている送受器落下防止構造に関する。
【０００２】
【従来の技術】
従来から、この種の送受器落下防止構造が適用されるインターホンは図３に示すように、ケース本体５０に送受器６０がスパイラルコード７０で接続され、この送受器６０を床面上に落下防止するために、ボールチェーン８０をスパイラルコード７０に沿って当該スパイラルコード７０の両端部７００、７００に固定している。
【０００３】
具体的には、図４（ａ）に示すように、スパイラルコード７０の両端部７００、７００にはブッシング９０が備えられ、一方のブッシング９０はケース本体５０のスパイラルコード嵌合部５００が有するリブ５０１に、他方のブッシング９０は送受器６０のスパイラルコード嵌合部６００が有するリブ６０１にそれぞれ嵌合されている。なお、ケース本体５０および送受器６０の各スパイラルコード嵌合部５００、６００は同一構造なので、１つのスパイラルコード嵌合部の図にて両方の符号を付して説明するものとする。
【０００４】
ボールチェーン８０の各端部は、ケース本体５０に穿孔されたチェーン通し穴５０２と、送受器６０に穿孔されたチェーン通し穴６０２とに挿通され、挿通後、ボールチェーン８０の各端部にはチェーン止め金具１００が係合され、一方のチェーン止め金具１００はケース本体５０に内設された固定ボス５０３に、他方のチェーン止め金具１００は送受器６０に内設された固定ボス６０３にそれぞれねじ２００でねじ止めされている。
【０００５】
なお、チェーン止め金具１００は図４（ｂ）に示すように、金具の両端にボールチェーン８０のボール８０ａを挿通可能なボール穴１００ａが穿孔され、この２つのボール穴１００ａ、１００ａはボールチェーン８０のリンク８０ｂを挿通可能でボール８０ａを係止可能なスリット穴１００ｂで連通されている。このようなチェーン止め金具１００は、ボール穴１００ａにボールチェーン８０のボール８０ａを挿通後、スリット穴１００ｂにその挿通させたボール８０ａに連結しているリンク８０ｂを挿通して金具のほぼ中心まで移動させ、図４（ｃ）に示すように、Ｕの字状に折り曲げてボールチェーン８０の各端部に係合させている。これにより、ボールチェーン８０のボール８０ａがチェーン止め金具１００のスリット穴１００ｂに係止される。そして、このＵの字状に折り曲げられたチェーン止め金具１００のボール穴１００ａ、１００ａにねじ２００を挿通して、ケース本体５０の固定ボス５０３および送受器６０の固定ボス６０３にそれぞれ当該チェーン止め金具１００をねじ止めする。
【０００６】
【発明が解決しようとする課題】
しかしながら、このような従来の送受器落下防止構造では、ボールチェーン８０を保持するためにねじ止め作業が必要になるので、このねじ止め作業に工数が掛かっていた。また、ボールチェーン８０の固定をケース本体５０や送受器６０の内部で行わなければならないので、ケース本体５０や送受器６０の内部からボールチェーン８０を外側に引き出すために、ケース本体５０や送受器６０にはそれぞれチェーン通し穴５０２、６０２を設ける必要があった。さらに、この穴加工が後加工になるので、コストが上がると共に納期が遅れる難点があった。
【０００７】
本発明は、このような従来の難点を解決するためになされたもので、組立加工性を向上させ、低コスト且つ短納期で生産できる送受器落下防止構造を提供することを目的とする。
【０００８】
【課題を解決するための手段】
上記目的を達成する本発明の送受器落下防止構造は、スパイラルコードでケース本体に接続されている送受器を床面上に落下防止するために、可撓性線状材をスパイラルコードに沿ってスパイラルコードの両端部に固定して送受器が落下したときスパイラルコードが伸張するのを阻止するにあたり、可撓性線状材の各端部を保持するための保持金具を備え、保持金具は、送受器のスパイラルコード嵌合部とケース本体のスパイラルコード嵌合部にそれぞれ嵌着され、送受器のスパイラルコード嵌合部およびケース本体のスパイラルコード嵌合部は、スパイラルコードの両端部において送受器およびケース本体のリブに嵌合するブッシングを有し、保持金具は、ブッシングと重なるように送受器およびケース本体のリブに嵌合する凹部を有し、ブッシングは、保持金具と重なるように送受器およびケース本体のリブに嵌合する凹部を有するものである。
【０００９】
このような送受器落下防止構造によれば、保持金具を可撓性線状材の各端部に備え、これら保持金具を送受器のスパイラルコード嵌合部とケース本体のスパイラルコード嵌合部にそれぞれ嵌着するだけで、送受器が落下したときスパイラルコードが伸張するのを阻止できるので、組立加工性を向上させ、低コスト且つ短納期で生産できるようになる。また、可撓性線状材の各端部に備えられた保持金具の凹部を送受器およびケース本体のリブに嵌合後、さらにスパイラルコードの両端部に備えられたブッシングの凹部をこれらリブに嵌合するだけで、送受器が落下したときスパイラルコードが伸張するのを阻止できるようになる。
【００１０】
【発明の実態の形態】
以下、本発明の送受器落下防止構造における好ましい実施の形態例について図面を参照して詳述する。
【００１１】
本発明の送受器落下防止構造が適用されるインターホンは図２に示すように、ケース本体１に送受器２がスパイラルコード３で接続され、この送受器２を床面上に落下防止するために、可撓性線状材であるボールチェーン４をスパイラルコード３に沿って当該スパイラルコード３の両端部３０、３０に固定している。
【００１２】
具体的には図１（ａ）に示すように、スパイラルコード３の両端部３０、３０にはブッシング５が備えられ、一方のブッシング５はケース本体１のスパイラルコード嵌合部１０が有するリブ１１に、他方のブッシング５は送受器２のスパイラルコード嵌合部２０が有するリブ２１にそれぞれ嵌合されている。なお、ケース本体１および送受器２の各スパイラルコード嵌合部１０、２０は同一構造なので、１つのスパイラルコード嵌合部の図にて両方の符号を付して説明するものとする。
【００１３】
また、ボールチェーン４の各端部には保持金具６、６が備えられ、保持金具６は送受器２のスパイラルコード嵌合部２０とケース本体１のスパイラルコード嵌合部１０にそれぞれ嵌着させることができる。この保持金具６は、金具の一端にボールチェーン４のボール４ａを挿通可能なボール穴６ａが穿孔され、このボール穴６ａにはボールチェーン４のリンク４ｂを挿通可能でボール４ａを係止可能なスリット穴６ｂが連通されている。また、保持金具６は、送受器２およびケース本体１のリブ２１、１１に嵌合する凹部６ｃが切り欠かれている。
【００１４】
このような送受器落下防止構造が適用されるインターホンのケース本体１と送受器２とをスパイラルコード３およびボールチェーン４で接続するには、まず、ボールチェーン４の各端部に保持金具６を係合させる。即ち、保持金具６は図１（ｂ）に示すように、ボール穴６ａにボールチェーン４のボール４ａを挿通後、スリット穴４ｂにその挿通させたボール４ａに連結しているリンク４ｂを挿通させてボールチェーン４に係合させる。
【００１５】
このボールチェーン４が係合された一方の保持金具６の凹部６ｃをケース本体１の嵌合部１０が有するリブ１１に、他方の保持金具６の凹部６ｃを送受器２の嵌合部２０が有するリブ２１にそれぞれ、ボールチェーン４がケース本体１および送受器２を接続するように嵌合する。次に、スパイラルコード３の一方のブッシング５をケース本体１のリブ１１に嵌合している保持金具６に重なるように当該リブ１１に嵌合し、また、他方のブッシング５を送受器２のリブ２１に嵌合している保持金具６に重なるように当該リブ２１に嵌合する。なお、ボールチェーン４の長さはスパイラルコード３でケース本体１に接続されている送受器２が落下したとき、床面上に衝突しない程度に設定される。これにより、送受器２が落下したときスパイラルコード３が伸張するのを阻止できる。
【００１６】
このように、保持金具６をスパイラルコード３のブッシング５だけでケース本体２および送受器１に固定することができるので、ボールチェーン４の保持においてねじを用いて固定する必要がなく、而もボールチェーン４をケース本体１および送受器２のチェーン通し穴１２、２２に通さずに済むので組立加工性が向上する。また、このようなチェーン通し穴１２、２２を後加工する必要がないため、後加工に伴うコストアップと納期遅れを回避できる。したがって、低コスト且つ短納期で生産できるようになる。
【００１７】
なお、上述した本発明の送受器落下防止構造における好ましい実施の形態例においては可撓性線状材としてボールチェーンを使用していたが、これに限らず、他の種類のチェーンやワイヤー、紐、ゴムなども使用することができ、何れの可撓性線状材においても保持金具に保持する手段を適宜適合させればよい。
【００１８】
【発明の効果】
以上の説明から明らかなように、本発明の送受器落下防止構造によれば、可撓性線状材の各端部を保持する保持金具を、スパイラルコード嵌合部だけでケース本体および送受器に固定することができるので、組立加工性を向上させ、低コスト且つ短納期で生産できるようになる。
【図面の簡単な説明】
【図１】  本発明の送受器落下防止構造における好ましい実施の形態例を示す説明図。
【図２】  本発明の送受器落下防止構造における好ましい実施の形態例を示す詳細図。
【図３】  従来の送受器落下防止構造を示す説明図。
【図４】  従来の送受器落下防止構造を示す詳細図。
【符号の説明】
１・・・・・ケース本体
１０・・・・・ケース本体のスパイラルコード嵌合部
１１・・・・・ケース本体のリブ
２・・・・・送受器
２０・・・・・送受器のスパイラルコード嵌合部
２１・・・・・送受器のリブ
３・・・・・スパイラルコード
３０、３０・・・・・スパイラルコードの両端部
４・・・・・ボールチェーン（可撓性線状材）
５・・・・・ブッシング
６・・・・・保持金具
６ｃ・・・・・保持金具の凹部
【図１】
0004515673.tif 000002
【図２】
0004515673.tif 000003
【図３】
0004515673.tif 000004
【図４】
0004515673.tif 000005